【事件の表示】
　特許第２９５４１３５号「情報記録再生用媒体及び情報記録再生用媒体フォーマット装置並びに情報記録再生装置」の請求項１ないし６に係る特許に対する特許異議の申立てについて、次のとおり決定する。
【結　論】
　訂正を認める。
　特許第２９５４１３５号の請求項１ないし６に係る特許を維持する。
【理　由】
１．手続の経緯
　特許第２９５４１３５号の請求項１ないし６に係る発明についての出願は、平成９年５月１日に特許出願された特願平９−１１３８７７号の一部を平成１０年１月３０日に新たな特許出願とし、平成１１年７月１６日にその特許の設定登録がなされ、その後、異議申立人畑中孝平より特許異議の申立てがなされ、取消理由通知がなされ、その指定期間内である平成１２年９月１１日に訂正請求がなされたものである。
　
２．訂正の適否についての判断
ア．訂正明細書の請求項１ないし６に係る発明
　訂正明細書の請求項１ないし６に係る発明は、その特許請求の範囲の請求項１ないし６に記載された次のとおりのものである。（以下、「本件発明１」ないし「本件発明６」という。）
「【請求項１】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域に記録したことを特徴とする情報記録再生用媒体。
　【請求項２】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域に記録したことを特徴とする情報記録再生用媒体。
　【請求項３】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域にフォーマットするフォーマット手段を備えたことを特徴とする情報記録再生用媒体フォーマット装置。
　【請求項４】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域にフォーマットするフォーマット手段を備えたことを特徴とする情報記録再生用媒体フォーマット装置。
　【請求項５】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記同期パターンが記録された前記第１の領域の再生、及び前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークが記録された前記第２の領域の再生を行い、この再生により得られた再生パターンから前記アドレスマークを検知するアドレスマーク検知手段と、
　このアドレスマーク検知手段により検知された前記アドレスマークに従って、前記所定範囲のランレングス制限に従ったコードが記録された前記レコーディング領域の再生、又は前記レコーディング領域に対して前記所定範囲のランレングス制限に従ったコードの記録を行う情報記録再生手段と、
　を備えたことを特徴とする情報記録再生装置。
　【請求項６】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記同期パターンが記録された前記第１の領域の再生、及び前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークが記録された前記第２の領域の再生を行い、この再生により得られた再生パターンから前記アドレスマークを検知するアドレスマーク検知手段と、
　このアドレスマーク検知手段により検知された前記アドレスマークに従って、前記所定範囲のランレングス制限に従ったコードが記録された前記レコーディング領域の再生、又は前記レコーディング領域に対して前記所定範囲のランレングス制限に従ったコードの記録を行う情報記録再生手段と、
　を備えたことを特徴とする情報記録再生装置。」
　
イ．訂正の内容
　特許権者が求めている訂正の内容は、以下のａ〜ｆのとおりである。
（１）訂正事項ａ
　本件特許請求の範囲の請求項１
「【請求項１】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有する情報記録再生用媒体であって、
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域に記録したことを特徴とする情報記録再生用媒体。」を、
「【請求項１】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域に記録したことを特徴とする情報記録再生用媒体。」
と訂正する。
　
（２）訂正事項ｂ
　本件特許請求の範囲の請求項２
「【請求項２】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有する情報記録再生用媒体であって、
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域に記録したことを特徴とする情報記録再生用媒体。」を、
「【請求項２】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域に記録したことを特徴とする情報記録再生用媒体。」
と訂正する。
　
（３）訂正事項ｃ
　本件特許請求の範囲の請求項３
「【請求項３】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有するように情報記録再生用媒体をフォーマットする情報記録再生用媒体フォーマット装置であって、
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域にフォーマットするフォーマット手段を備えたことを特徴とする情報記録再生用媒体フォーマット装置。」を、
「【請求項３】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域にフォーマットするフォーマット手段を備えたことを特徴とする情報記録再生用媒体フォーマット装置。」
と訂正する。
　
（４）訂正事項ｄ
　本件特許請求の範囲の請求項４
「【請求項４】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有するように情報記録再生用媒体をフォーマットする情報記録再生用媒体フォーマット装置であって、
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域にフォーマットするフォーマット手段を備えたことを特徴とする情報記録再生用媒体フォーマット装置。」を、
「【請求項４】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域にフォーマットするフォーマット手段を備えたことを特徴とする情報記録再生用媒体フォーマット装置。」
と訂正する。
　
（５）訂正事項ｅ
　本件特許請求の範囲の請求項５
「【請求項５】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有する情報記録再生用媒体に対して情報の記録及び再生を行う情報記録再生装置であって、
　前記同期パターンが記録された前記第１の領域の再生、及び前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークが記録された前記第２の領域の再生を行い、この再生により得られた再生パターンから前記アドレスマークを検知するアドレスマーク検知手段と、
　このアドレスマーク検知手段により検知された前記アドレスマークに従って、前記所定範囲のランレングス制限に従ったコードが記録された前記レコーディング領域の再生、又は前記レコーディング領域に対して前記所定範囲のランレングス制限に従ったコードの記録を行う情報記録再生手段と、
　を備えたことを特徴とする情報記録再生装置。」を、
「【請求項５】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記同期パターンが記録された前記第１の領域の再生、及び前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークが記録された前記第２の領域の再生を行い、この再生により得られた再生パターンから前記アドレスマークを検知するアドレスマーク検知手段と、
　このアドレスマーク検知手段により検知された前記アドレスマークに従って、前記所定範囲のランレングス制限に従ったコードが記録された前記レコーディング領域の再生、又は前記レコーディング領域に対して前記所定範囲のランレングス制限に従ったコードの記録を行う情報記録再生手段と、
　を備えたことを特徴とする情報記録再生装置。」
と訂正する。
　
（６）訂正事項ｆ
　本件特許請求の範囲の請求項６
「【請求項６】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有する情報記録再生用媒体に対して情報の記録及び再生を行う情報記録再生装置であって、
　前記同期パターンが記録された前記第１の領域の再生、及び前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークが記録された前記第２の領域の再生を行い、この再生により得られた再生パターンから前記アドレスマークを検知するアドレスマーク検知手段と、
　このアドレスマーク検知手段により検知された前記アドレスマークに従って、前記所定範囲のランレングス制限に従ったコードが記録された前記レコーディング領域の再生、又は前記レコーディング領域に対して前記所定範囲のランレングス制限に従ったコードの記録を行う情報記録再生手段と、
　を備えたことを特徴とする情報記録再生装置。」を、
「【請求項６】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記同期パターンが記録された前記第１の領域の再生、及び前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークが記録された前記第２の領域の再生を行い、この再生により得られた再生パターンから前記アドレスマークを検知するアドレスマーク検知手段と、
　このアドレスマーク検知手段により検知された前記アドレスマークに従って、前記所定範囲のランレングス制限に従ったコードが記録された前記レコーディング領域の再生、又は前記レコーディング領域に対して前記所定範囲のランレングス制限に従ったコードの記録を行う情報記録再生手段と、
　を備えたことを特徴とする情報記録再生装置。」
と訂正する。
　
ウ．訂正の目的の適否、新規事項の有無及び拡張・変更の存否
（１）訂正事項ａ
　上記訂正事項ａは、願書に最初に添付した明細書及び図面の段落【００２３】、【００２４】、【００２６】、【００３３】、【００３６】の記載に基づくものであり、請求項１のヘッダ領域のデータ構造及びレコーディング領域に関して「エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有する」と記載されていたものを、特許請求の範囲の減縮を目的として、「エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　したがって、上記訂正事項ａは、特許請求の範囲の減縮を目的とする訂正であって、新規事項の追加に該当せず、実質上特許請求の範囲を拡張し、又は変更するものではない。
（２）訂正事項ｂ
　上記訂正事項ｂは、上記訂正事項ａと同様であるので、上記訂正事項ｂは、特許請求の範囲の減縮を目的とする訂正であって、新規事項の追加に該当せず、実質上特許請求の範囲を拡張し、又は変更するものではない。
（３）訂正事項ｃ
上記訂正事項ｃは、上記訂正事項ａと同様であるので、上記訂正事項ｃは、特許請求の範囲の減縮を目的とする訂正であって、新規事項の追加に該当せず、実質上特許請求の範囲を拡張し、又は変更するものではない。
（４）訂正事項ｄ
　上記訂正事項ｄは、上記訂正事項ａと同様であるので、上記訂正事項ｄは、特許請求の範囲の減縮を目的とする訂正であって、新規事項の追加に該当せず、実質上特許請求の範囲を拡張し、又は変更するものではない。
（５）訂正事項ｅ
　上記訂正事項ｅは、上記訂正事項ａと同様であるので、上記訂正事項ｅは、特許請求の範囲の減縮を目的とする訂正であって、新規事項の追加に該当せず、実質上特許請求の範囲を拡張し、又は変更するものではない。
（６）訂正事項ｆ
　上記訂正事項ｆは、上記訂正事項ａと同様であるので、上記訂正事項ｆは、特許請求の範囲の減縮を目的とする訂正であって、新規事項の追加に該当せず、実質上特許請求の範囲を拡張し、又は変更するものではない。
　
エ．むすび
　以上のとおりであるから、上記訂正は、特許法第１２０条の４第２項及び同条第３項で準用する第１２６条第２、３項の規定に適合するので、当該訂正を認める。
　
３．特許異議申立て及び当審取消理由通知についての判断
ア．本件発明
　上記「２．訂正の適否についての判断」の「ア．訂正明細書の請求項１ないし６に係る発明」で認定したとおりのものであるので、これを援用する。
　
イ．当審の取消理由通知及び異議申立て理由の概要
　当審の取消理由通知は、異議申立人畑中孝平が提出した甲第１号証を引用して、本件発明１ないし本件発明６は、甲第１号証の刊行物の出願時の明細書及び図面に記載された発明であるから、これらの特許は特許法第２９条の２の規定に違反してなされたというべきものである、とするものである。
　
ウ．取消理由通知に引用された刊行物の記載
　当審が取消理由で通知した本件発明１ないし６の出願日前の出願であって、その出願後に出願公開された刊行物（ＰＣＴ／ＪＰ９７／００３３７（国際公開第９７／２９４８３号パンフレット参照）、甲第１号証に同じ）の出願（以下「先願」という。）の願書に最初に添付された明細書及び図面（以下、「先願明細書」という。）には、「光ディスク、光ディスク装置及び光ディスク再生方法」に関する発明について以下の記載がある。
・「背景技術」の欄の記載として
（１）「ディスク基板に１〜１．６μｍのピッチで凹凸状（それぞれ５０％程度の幅）の溝トラックがスパイラル状に形成されており、その基板表面に記録材料（相変化光ディスクの場合、Ｇｅ、Ｓｂ、Ｔｅなど）を成分とする薄膜がスパッタリングなどの方法で形成される。」
（２）「本発明は、上記事情に鑑みてなされたものであり、本発明の目的とするところは、マーク長記録等の採用による高記録密度化によっても、信頼性のある番地情報の読みとりが可能な光ディスク、光ディスク装置及び光ディスク再生方法を提供することにある。」
・「発明の開示」の欄の記載として
（３）「該番地情報は、最大反転間隔Ｔｍａｘビット（Ｔｍａｘは自然数）のラン長制限符号を用いて変調されており、該アドレス同期情報は、反転間隔が（Ｔｍａｘ＋３）ビット以上の２つのパターンを含み、そのことにより該アドレス同期情報の再生信号が、他の情報の再生信号から区別され、そのことにより上記目的が達成される。」
・（実施例１）の欄の記載として
（４）「光ディスク１ａには、トラック１ｂがスパイラル状に形成されており、トラック１ｂは、所定の物理フォーマットに従って記録セクタ１ｃに分割されている。図５Ａに示すように、記録セクタ１ｃは円周方向に連続して配置されて、トラック１ｂを形成している。・・・記録セクタ１ｃの先頭にはヘッダ領域２が設けられ、番地情報を読み取るためのアドレッシング情報が予め記録されている。ヘッダ領域２の後には、ギャップ領域３、データ記録領域４、バッファ領域５が順に続く。・・・データ記録領域４にはユーザデータが記録される。・・・ヘッダ領域における情報記録は、記録面の凹凸によるピットとして形成してもよいし、・・・ヘッダ領域２には、図５Ｃに示すように、４つのアドレス領域６ａ、６ｂ、６ｃ、及び６ｄに分かれている。さらに各アドレス領域はそれぞれ、ＶＦＯ領域、アドレスマークＡＭ、及び番地情報領域ＩＤを有している。・・・各ＶＦＯ領域には、４ビット長のマークとスペースが交互に現れるような連続パターンが記録されている。・・・アドレスマークＡＭは、その次に続く番地情報領域ＩＤの位置を光ディスク装置が識別し、ビット同期を取るために用いられる。・・・本実施例においてアドレスマークＡＭは、１４ビット長のマークと１４ビット長のスペースとをそれぞれ１つ含むパターンである。・・・番地情報領域ＩＤには、トラック番号やセクタ番号等の番地情報を含むデータに所定のエラー検出符号を付加したディジタルデータが、（２，１０）変調符号を用いて変調されてマーク長記録される。」
（５）「（２，１０）変調符号の最大反転間隔は１１であるから、各番地情報領域ＩＤあるいはデータ記録領域のパターンにおけるマーク及びスペースには、１２ビット以上の長さ有するものは含まれない。」
（６）「図９は、１データバイトが変調後において１６ビットになる変調符号を用いた場合のアドレスマークＡＭのパターンである。アドレスマークＡＭの長さは、４８ビットであり、３データバイトになっている。パターンは、｛４ビット長スペース・４ビット長マーク・１４ビット長スペース・４ビット長マーク・４ビット長スペース・１４ビット長マーク・４ビット長スペース｝よりなるパターンである。
　更に、図９に示すアドレスマークＡＭのパターンは、図７Ａのパターンに比べ、マーク／スペースの反転回数が多いパターンとなっている。上記のようにマーク／スペースの反転回数が多いほどエッジの情報が多くなるため、ビットシフトによるエラーに強くなる。即ち、図９のパターンは、図７Ａのパターンに比べてビットシフトによる誤同期検出を起こす確率が少ない。」
（７）「図１０は、上述した信号フォーマットを有する光ディスク１ａにデータの記録再生を行う光ディスク装置１００の構成を示すブロック図である。図１０に示されるように、光ディスク装置１００は、スピンドルモータ７、ヘッド８、プリアンプ９、変調回路１１、レーザ駆動回路１４、再生系１６、システム制御系１８、及びサーボ系５０を備えている。」
（８）「変調回路１１は、入力データ１２を（２，１０）変調し、変調データ１３をレーザ駆動回路１４に出力する。レーザ駆動回路１４は、再生時においては、ヘッド８に内蔵された半導体レーザが再生用のパワーで発光するようにレーザ駆動信号１５を出力する。また、記録時においては、レーザ駆動回路１４は、与えられる変調データ１３に従ってデータ記録領域４にマーク長記録が行われるようにレーザ駆動信号１５を出力し、半導体レーザを記録用のパワーで発光させる。」
（９）「ＶＦＯ検出回路２５は、非同期２値化データ２３に基づいてＶＦＯ領域ＶＦＯ１、ＶＦＯ２、ＶＦＯ３、及びＶＦＯ４に記録された連続パターンの検出を行い、所定の連続パターンが検出されるとＶＦＯ検出パルス２６を出力する。」
（１０）「アドレス復調回路３０は、入力されるアドレス再生許可信号３６が“１”の場合のみ、上述のようにして、アドレスマークＡＭのパターンを識別することにより、アドレスマークＡＭの検出を行う。」
（１１）「データ復調回路３９は、入力されるデータ再生許可信号３８が“１”の場合のみ、同期２値化信号データ２４のうち、データ記録領域４から読み出された記録データの復調を行い、再生データ１７を出力する。」
（１２）「このように、ＶＦＯ検出回路２５及び再生許可回路３２を用いることによってヘッダ領域２においてクロックの再生及び番地情報の再生を許可し、クロック信号及び番地情報を読み取ることができる。」
（１３）「アドレス復調回路３０が番地情報を正しく読み取るとセクタ同期パルス３１が“１”となるので、この信号に同期して、アドレス復調回路３０より出力された番地情報４０が読みとられ、目的の記録セクタであるかどうかが判断される（ステップ７）。読みとった番地情報４０が目的の記録セクタのものであれば、記録再生を行うための制御（ステップ８）に移行する。読みとった番地情報４０が目的の記録セクタのものでなければ、シーク制御（ステップ９）に移行する。」
（１４）「尚、第１の実施例において、ヘッダ領域２の各番地情報領域ＩＤ及びデータ記録領域４における変調符号は（２，１０）変調符号を用いているが、変調符号はこれに限定されるものではない。最大反転間隔が決まっているラン長制限符号であれば、如何なる種類のものでも差し支えなく、最大反転間隔Ｔｍａｘに対する上述の条件を満たすように、アドレスマークＡＭのパターンを決定すればよい。」
・（実施例３）の欄の記載として
（１５）「各ＶＦＯ領域ＶＦＯ１、ＶＦＯ２、ＶＦＯ３、ＶＦＯ４は、光ディスク装置が再生信号からクロック再生を行うために用いられる。各ＶＦＯ領域には、例えば、第１の実施例と同様に、一定長（例えば４ビット長）のマークとスペースとが交互に現れるような連続パターンが記録されている。各ＶＦＯ領域の長さは同一でもよいし、異なっていてもよい。例えば、先頭のＶＦＯ領域ＶＦＯ１領域を他のＶＦＯ領域より長くするすることにより、ヘッダ領域２０２の先頭におけるクロック再生を安定にすることが出来る。」
（１６）「次に、上述の凸状のグループトラック及び凹凸状のピットとしてのアドレス領域を有するディスク基板の作成に用いるスタンパーを作成するためのディスク原盤の形成方法について説明する。トラック及びアドレス領域は、回転させたディスク原盤にカッテング用レーザ光を照射することによって形成される。」
（１７）「図２１Ｂは、本実施例における光ディスクにおいて、記録面上に記録されるヘッダ領域２０２におけるアドレス領域の配置の別の例を示している。・・・ここで、アドレス領域２１３、２１７は２０６ａに対応する。アドレス領域２１４、２１８は２０６ｂに対応する。アドレス領域２１５、２１９は２０６ｃに対応する。アドレス領域２１６、２２０は２０６ｄに対応する。ランドトラックの中心線とグルーブトラックの中心線との距離はトラックピッチＴｐであり、前の２つのアドレス領域（２１３、２１４、２１７、２１８）は、グルーブトラックの中心線２３０からＴｐ／２だけ外周側にずらして配置され、後の２つのアドレス領域（２１５、２１６、２１９、２２０）は、グルーブトラック中心線２３０からＴｐ／２だけ内周側にずらして配置される。」
　
エ．対比、判断
（１）本件発明１　
　本件発明１と上記先願明細書に記載された発明とを対比する。
　本件発明１は、先願明細書の発明と、少なくとも以下の点で相違するものと認められる。
　
　本件発明１のヘッダ領域が、「ヘッダ１領域及びヘッダ３領域における第１の領域は３６バイトを有し、第２領域及び第４領域における第１の領域は８バイトを有」するようにしているのに対し、先願明細書記載の発明のヘッダ領域では、本件発明１のヘッダ１領域ないしヘッダ４領域に相当するヘッダ領域６ａないし６ｄを有しているものの、それぞれのヘッダ領域の大きさについて言及していない点
　
　上記相違点について検討する。
　先願明細書には、上記３．ウ．（４）、（１５）及び（１７）に摘記したように、ヘッダ領域に本件発明１のヘッダ１領域ないしヘッダ４領域に相当するヘッダ領域６ａないし６ｄを有していること、実施例３において先頭のヘッダ領域のＶＦＯ（本件発明１の「第１の領域」に相当）を他のＶＦＯより長くするとクロック再生を安定化できるとされていること、及び、同じく実施例３において１番目と２番目のヘッダ領域と３番目と４番目のヘッダ領域とを「千鳥状」に配置することについての記載がある。
　しかしながら、本件発明１のように１番目と３番目のヘッダ領域の第１の領域を２番目及び４番目のヘッダ領域の第１の領域よりも大きくし、具体的に、「ヘッダ１領域及びヘッダ３領域における第１の領域は３６バイトを有し、第２領域及び第４領域における第１の領域は８バイトを有」するようにすることについては、先願明細書には記載もしくは示唆もされていない。そして、本件発明１では、上記相違点に係るヘッダ領域を有することによって、より確実にアドレスマークの誤検出を防止できるという、本件発明１の所期の効果を奏するものと認められる。
　したがって、本件発明１は先願明細書に記載された発明と実質的に同一であるとすることはできない。
（２）本件発明２
　本件発明２と上記先願明細書記載の発明とを対比すると、本件発明２は、先願明細書記載の発明と上記３．エ．（１）と同じ点で相違するものと認められ、相違点に係る当審の判断については、上記のとおりであるから、本件発明２と先願明細書記載の発明とが実質的に同一であるとすることはできない。
（３）本件発明３
　本件発明３と上記先願明細書記載の発明とを対比すると、本件発明３は、先願明細書記載の発明と上記３．エ．（１）と同じ点で相違するものと認められ、相違点に係る当審の判断については、上記のとおりであるから、本件発明３と先願明細書記載の発明とが実質的に同一であるとすることはできない。
（４）本件発明４
　本件発明４と上記先願明細書記載の発明とを対比すると、本件発明４は、先願明細書記載の発明と上記３．エ．（１）と同じ点で相違するものと認められ、相違点に係る当審の判断については、上記のとおりであるから、本件発明４と先願明細書記載の発明とが実質的に同一であるとすることはできない。
（５）本件発明５
　本件発明５と上記先願明細書記載の発明とを対比すると、本件発明５は、先願明細書記載の発明と上記３．エ．（１）と同じ点で相違するものと認められ、相違点に係る当審の判断については、上記のとおりであるから、本件発明５と先願明細書記載の発明とが実質的に同一であるとすることはできない。
（６）本件発明６
　本件発明６と上記先願明細書記載の発明とを対比すると、本件発明６は、先願明細書記載の発明と上記３．エ．（１）と同じ点で相違するものと認められ、相違点に係る当審の判断については、上記のとおりであるから、本件発明６と先願明細書記載の発明とが実質的に同一であるとすることはできない。
　
４．むすび
　以上のとおりであるから、当審の取消理由及び特許異議の申立ての理由及び証拠によっては、本件請求項１ないし６に係る発明についての特許を取り消すことができない。
　また、他に本件請求項１ないし６に係る発明についての特許を取り消すべき理由を発見しない。
　よって、結論のとおり決定する。
【異議決定日】
平成１２年９月２９日（２０００．９．２９）
【訂正の要旨】
（１）訂正事項ａ
　本件特許請求の範囲の請求項１
「【請求項１】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有する情報記録再生用媒体であって、
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域に記録したことを特徴とする情報記録再生用媒体。」を、特許請求の範囲の減縮を目的として、
「【請求項１】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域に記録したことを特徴とする情報記録再生用媒体。」と訂正する。
（２）訂正事項ｂ
　本件特許請求の範囲の請求項２
「【請求項２】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有する情報記録再生用媒体であって、
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域に記録したことを特徴とする情報記録再生用媒体。」を、特許請求の範囲の減縮を目的として、
「【請求項２】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域に記録したことを特徴とする情報記録再生用媒体。」と訂正する。
（３）訂正事項ｃ
　本件特許請求の範囲の請求項３
「【請求項３】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有するように情報記録再生用媒体をフォーマットする情報記録再生用媒体フォーマット装置であって、
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域にフォーマットするフォーマット手段を備えたことを特徴とする情報記録再生用媒体フォーマット装置。」を、特許請求の範囲の減縮を目的として、
「【請求項３】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域にフォーマットするフォーマット手段を備えたことを特徴とする情報記録再生用媒体フォーマット装置。」と訂正する。
（４）訂正事項ｄ
　本件特許請求の範囲の請求項４
「【請求項４】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有するように情報記録再生用媒体をフォーマットする情報記録再生用媒体フォーマット装置であって、
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域にフォーマットするフォーマット手段を備えたことを特徴とする情報記録再生用媒体フォーマット装置。」を、特許請求の範囲の減縮を目的として、
「【請求項４】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域にフォーマットするフォーマット手段を備えたことを特徴とする情報記録再生用媒体フォーマット装置。」と訂正する。
（５）訂正事項ｅ
　本件特許請求の範囲の請求項５
「【請求項５】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有する情報記録再生用媒体に対して情報の記録及び再生を行う情報記録再生装置であって、
　前記同期パターンが記録された前記第１の領域の再生、及び前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークが記録された前記第２の領域の再生を行い、この再生により得られた再生パターンから前記アドレスマークを検知するアドレスマーク検知手段と、
　このアドレスマーク検知手段により検知された前記アドレスマークに従って、前記所定範囲のランレングス制限に従ったコードが記録された前記レコーディング領域の再生、又は前記レコーディング領域に対して前記所定範囲のランレングス制限に従ったコードの記録を行う情報記録再生手段と、
　を備えたことを特徴とする情報記録再生装置。」を、特許請求の範囲の減縮を目的として、
「【請求項５】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記同期パターンが記録された前記第１の領域の再生、及び前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークが記録された前記第２の領域の再生を行い、この再生により得られた再生パターンから前記アドレスマークを検知するアドレスマーク検知手段と、
　このアドレスマーク検知手段により検知された前記アドレスマークに従って、前記所定範囲のランレングス制限に従ったコードが記録された前記レコーディング領域の再生、又は前記レコーディング領域に対して前記所定範囲のランレングス制限に従ったコードの記録を行う情報記録再生手段と、
　を備えたことを特徴とする情報記録再生装置。」と訂正する。
（６）訂正事項ｆ
　本件特許請求の範囲の請求項６
「【請求項６】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有する情報記録再生用媒体に対して情報の記録及び再生を行う情報記録再生装置であって、
　前記同期パターンが記録された前記第１の領域の再生、及び前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークが記録された前記第２の領域の再生を行い、この再生により得られた再生パターンから前記アドレスマークを検知するアドレスマーク検知手段と、
　このアドレスマーク検知手段により検知された前記アドレスマークに従って、前記所定範囲のランレングス制限に従ったコードが記録された前記レコーディング領域の再生、又は前記レコーディング領域に対して前記所定範囲のランレングス制限に従ったコードの記録を行う情報記録再生手段と、
　を備えたことを特徴とする情報記録再生装置。」を、特許請求の範囲の減縮を目的として、
「【請求項６】　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、
ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一のパターンのコードが記録されている第４の領域を有し、前記第２の領域に記録されるアドレスマークを構成するバイト数より前記第４の領域のバイト数が大きい関係を有
　前記同期パターンが記録された前記第１の領域の再生、及び前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークが記録された前記第２の領域の再生を行い、この再生により得られた再生パターンから前記アドレスマークを検知するアドレスマーク検知手段と、
　このアドレスマーク検知手段により検知された前記アドレスマークに従って、前記所定範囲のランレングス制限に従ったコードが記録された前記レコーディング領域の再生、又は前記レコーディング領域に対して前記所定範囲のランレングス制限に従ったコードの記録を行う情報記録再生手段と、
　を備えたことを特徴とする情報記録再生装置。」と訂正する。
（５４）【発明の名称】
情報記録再生用媒体及び情報記録再生用媒体フォーマット装置並びに情報記録再生装置
（５７）【特許請求の範囲】
　　【請求項１】
　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が
、ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一パターンのコードが記録されている第４の領域を有し、前記第２の領域に記録されるアドレスマークを構成するバイト数より前記第４の領域のバイト数が大きい関係を有
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域に記録したことを特徴とする情報記録再生用媒体。
　　【請求項２】
　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が
、ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一パターンのコードが記録されている第４の領域を有し、前記第２の領域に記録されるアドレスマークを構成するバイト数より前記第４の領域のバイト数が大きい関係を有
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域に記録したことを特徴とする情報記録再生用媒体。
　　【請求項３】
　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が
、ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一パターンのコードが記録されている第４の領域を有し、前記第２の領域に記録されるアドレスマークを構成するバイト数より前記第４の領域のバイト数が大きい関係を有
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域にフォーマットするフォーマット手段を備えたことを特徴とする情報記録再生用媒体フォーマット装置。
　　【請求項４】
　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が
、ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一パターンのコードが記録されている第４の領域を有し、前記第２の領域に記録されるアドレスマークを構成するバイト数より前記第４の領域のバイト数が大きい関係を有
　前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域にフォーマットするフォーマット手段を備えたことを特徴とする情報記録再生用媒体フォーマット装置。
　　【請求項５】
　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が
、ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一パターンのコードが記録されている第４の前記第２の領域に記録されるアドレスマークを構成するバイト数より前記第４の領域のバイト数が大きい関係を有
　前記同期パターンが記録された前記第１の領域の再生、及び前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークが記録された前記第２の領域の再生を行い、この再生により得られた再生パターンから前記アドレスマークを検知するアドレスマーク検知手段と、
　このアドレスマーク検知手段により検知された前記アドレスマークに従って、前記所定範囲のランレングス制限に従ったコードが記録された前記レコーディング領域の再生、又は前記レコーディング領域に対して前記所定範囲のランレングス制限に従ったコードの記録を行う情報記録再生手段と、
　を備えたことを特徴とする情報記録再生装置。
　　【請求項６】
　同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が
、ヘッダ１領域、ヘッダ２領域、ヘッダ３領域、及びヘッダ４領域により構成されており、これらヘッダ１領域、ヘッダ２領域、ヘッダ３領域、及びヘッダ４領域は、
し、前記ヘッダ１領域及びヘッダ３領域における前記第１の領域は３６バイトを有し、前記第２領域及び第４領域における前記第１の領域は８バイトを有し、前記ヘッダ１領域、ヘッダ２領域、ヘッダ３領域、及びヘッダ４領域における前記第２の領域は３バイトを有し、前記レコーディング領域が、前記第１の領域の同期パターンと同一パターンのコードが記録されている第４の領域を有し、前記第２の領域に記録されるアドレスマークを構成するバイト数より前記第４の領域のバイト数が大きい関係を有
　前記同期パターンが記録された前記第１の領域の再生、及び前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークが記録された前記第２の領域の再生を行い、この再生により得られた再生パターンから前記アドレスマークを検知するアドレスマーク検知手段と、
　このアドレスマーク検知手段により検知された前記アドレスマークに従って、前記所定範囲のランレングス制限に従ったコードが記録された前記レコーディング領域の再生、又は前記レコーディング領域に対して前記所定範囲のランレングス制限に従ったコードの記録を行う情報記録再生手段と、
　を備えたことを特徴とする情報記録再生装置。
【発明の詳細な説明】
　【０００１】
　【発明の属する技術分野】この発明は、レーザ光により情報の記録及び再生が可能な情報記録再生用媒体（光ディスク）、及びこの情報記録再生用媒体に対して所定のフォーマットを施す情報記録再生用媒体フォーマット装置、並びにこの情報記録再生用媒体に対してデータの記録及び再生を行う情報記録再生装置に関する。
　【０００２】
　【従来の技術】レーザ光によりデータの記録および再生が可能な光ディスクには、同心円状又はスパイラル状のトラックが設けられ、所定のトラック長から成る複数のセクタ領域が設けられている。このセクタ領域には、エンボスピットによりデータが記録されるヘッダ領域、及び相変化を利用してデータが記録されるレコーディング領域が設けられている。さらに、このヘッダ領域には、ＶＦＯ（Ｖｏｌｔａｇｅ　Ｆｒｅｑｕｅｎｃｙ　Ｏｓｃｉｌｌａｔｏｒ）領域、ＡＭ（Ａｄｄｒｅｓｓ　Ｍａｒｋ）領域、ＰＩＤ（Ｐｈｙｓｉｃａｌ　ＩＤ）領域などが設けられている。
　【０００３】ＰＩＤ領域には、アドレス情報が記録される。ＡＭ領域には、固定長ブロック符号の復調の際にブロックの境界を検出する役割を担うアドレスマークが記録される。具体的に述べると、このＡＭ領域に記録されるアドレスマークは、ＰＩＤ領域に記録されたアドレス情報の位置を示すものである。ＶＦＯ領域には、ＰＬＬの引込み領域としての役割を担う一定周期の同期パターンが記録される。具体的に述べると、このＶＦＯ領域に記録される同期パターンは、ＰＩＤ領域に記録されたアドレス情報を再生するための周波数同期を取るためのものである。
　【０００４】このような光ディスクには、特定の領域（ＡＭ領域など）を除いて、ランレングス制限符号からなる符号列を用いて「０」及び「１」からなるビット情報列（２値データ）が記録される。「０」及び「１」からなるビット情報列において、同一ビットの連続をランと呼ぶ。ランレングス制限符号では、「１」の連続は発生せず、「１」と「１」の問の「０」のランレングスが、例えば２以上１０以下に制限される。このようなランレングス制限は、ＲＬＬ（２、１０）などと略記される。因みに、ＲＬＬは、Ｒｕｎ　Ｌｅｎｇｔｈ　Ｌｉｍｉｔｅｄの略である。
　【０００５】光ディスクのレコーディング領域に記録されるデータのコード化には、固定長ブロック符号が用いられる。固定長ブロック符号とはコード語対データ語の比が例えば２：１などの一定値をもってコード化がなされる符号形態を指す。この固定長ブロック符号の復調の際に、ブロックの境界を誤ると正しい復調ができない。従って、コード化されたデータの前部に設けられたＡＭ領域にアドレスマークを記録し、データ再生時にはこのアドレスマークにより正しいブロック境界が検出され復調が行われる。アドレスマークでないデータの記録部分が誤ってアドレスマークとして判定されてしまうと、以降のデータは正しく復調されない。
　【０００６】因みに、エッジ記録方式ではチャネルビット列の「１」の位置で極性を反転させるＮＲＺＩ（Ｎｏｎ　Ｒｅｔｕｒｍ　ｔｏ　Ｚｅｒｏ　Ｉｎｖｅｒｔｅｄ）操作が行われる。
　【０００７】
　【発明が解決しようとする課題】上記したＶＦＯ領域に記録される同期パターンには、欠陥ピットが含まれることもある。ところが、この欠陥ピットが含まれたＶＦＯ領域を再生して得られるこの欠陥ピットの影響を受けた再生パターンが原因となり、アドレスマークが誤検知されてしまうことがあった。
　【０００８】（１）この発明の第１の目的は、ＶＦＯ領域に欠陥ピットが含まれているとき、この欠陥ピットが含まれたＶＦＯ領域を再生して得られる欠陥ピットの影響を受けた再生パターンによるアドレスマークの誤検出防止に貢献できる情報記録再生用媒体を提供することにある。
　【０００９】（２）この発明の第２の目的は、ＶＦＯ領域に欠陥ピットが含まれているとき、この欠陥ピットが含まれたＶＦＯ領域を再生して得られる欠陥ピットの影響を受けた再生パターンによるアドレスマークの誤検出防止に貢献できる情報記録再生用媒体をフォーマットする情報記録再生用媒体フォーマット装置を提供することにある。
　【００１０】（３）この発明の第３の目的は、ＶＦＯ領域に欠陥ピットが含まれているとき、この欠陥ピットが含まれたＶＦＯ領域を再生して得られる欠陥ピットの影響を受けた再生パターンによるアドレスマークの誤検出を防止できる情報記録再生装置を提供することにある。
　【００１１】
　【課題を解決するための手段】上記課題を解決し目的を達成するために、この発明の情報記録再生用媒体及び情報記録再生用媒体フォーマット装置並びに情報記録再生装置は、以下のように構成されている。
　【００１２】この発明は、同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有する情報記録再生用媒体であって、前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域に記録したものである。
　【００１３】この発明は、同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有する情報記録再生用媒体であって、前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域に記録したものである。
　【００１４】この発明は、同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有するように情報記録再生用媒体をフォーマットする情報記録再生用媒体フォーマット装置であって、前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域にフォーマットするフォーマット手段を備えている。
　【００１５】この発明は、同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有するように情報記録再生用媒体をフォーマットする情報記録再生用媒体フォーマット装置であって、前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークを前記第２の領域にフォーマットするフォーマット手段を備えている。
　【００１６】この発明は、同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有する情報記録再生用媒体に対して情報の記録及び再生を行う情報記録再生装置であって、前記同期パターンが記録された前記第１の領域の再生、及び前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンに隣接してランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークが記録された前記第２の領域の再生を行い、この再生により得られた再生パターンから前記アドレスマークを検知するアドレスマーク検知手段と、このアドレスマーク検知手段により検知された前記アドレスマークに従って、前記所定範囲のランレングス制限に従ったコードが記録された前記レコーディング領域の再生、又は前記レコーディング領域に対して前記所定範囲のランレングス制限に従ったコードの記録を行う情報記録再生手段とを備えている。
　【００１７】この発明は、同心円状又はスパイラル状のトラックを有し、所定のトラック長から成る複数のセクタ領域を有し、このセクタ領域が、エンボスピットによりデータが記録されるヘッダ領域、及び相変化によりデータが記録されるレコーディング領域を有し、このヘッダ領域が、周波数同期を取るための同期パターンが記録される第１の領域、この第１の領域に続く領域でありアドレス情報の位置を示すアドレスマークが記録される第２の領域、及びこの第２の領域に続く領域でありアドレス情報が記録される第３の領域を有する情報記録再生用媒体に対して情報の記録及び再生を行う情報記録再生装置であって、前記同期パターンが記録された前記第１の領域の再生、及び前記第１の領域に記録される同期パターンがランレングスｍの繰り返しパターンであるとき、所定範囲のランレングス制限に違反するランレングスｎ（ｎ＞ｍ、ｎ≠ｒｍ＋（ｒ−１）、ｒ：自然数）の違反パターンの両端にランレングスｍのパターンが配置されたシンボル１を奇数個含む特定パターンを２回繰り返した２回繰り返しパターンであって、この２回繰り返しパターンに含まれる一方の前記ランレングスｎの違反パターンをスペースにし、他方の前記ランレングスｎの違反パターンをマークにした２回繰り返しパターンを含むアドレスマークが記録された前記第２の領域の再生を行い、この再生により得られた再生パターンから前記アドレスマークを検知するアドレスマーク検知手段と、このアドレスマーク検知手段により検知された前記アドレスマークに従って、前記所定範囲のランレングス制限に従ったコードが記録された前記レコーディング領域の再生、又は前記レコーディング領域に対して前記所定範囲のランレングス制限に従ったコードの記録を行う情報記録再生手段とを備えている。
　【００１８】
　【発明の実施の形態】以下、この発明の実施の形態について図面を参照して説明する。
　【００１９】図１は、この発明の実施の一形態に係る情報記録再生用媒体としての光ディスクに設けられたセクタ領域の概略を示す図である。
　【００２０】光ディスク１は、例えば、ガラスあるいはプラスチックス等で円形に形成された基板の表面に、テルルあるいはビスマス等の金属被膜層がドーナツ型にコーティングされて構成されている。また、この光ディスクには、同心円状又はスパイラル状のトラック（ランドトラック及びグルーブトラック）が設けられている。さらに、これらトラックには、所定のトラック長から成る複数のセクタ領域が設けられる。
　【００２１】ここで、図１を参照してセクタ領域の概略構成について説明する。
　【００２２】図１示すように、１セクタは、およそ２６９７バイトで構成され、１２８バイトのヘッダ領域、２バイトのミラー領域、２５６７バイトのレコーディング領域から構成されている。ヘッダ領域及びミラー領域は、出荷前に凹凸形状として記録（プリフォーマット）される部分である。レコーディング領域には、ランド及びグルーブが設けられているだけである。セクタ領域（後述するアドレスマークＡＭ領域を除く）に記録されるチャネルビットは、８ビットのデータを１６ビットのチャネルビットに８−１６コード変調された形式になっている。この８−１６コード変調は、ＲＬＬ（２、１０）符号である。
　【００２３】ヘッダ領域には、光ディスク１を製造する際に所定のデータが記録される。このヘッダ領域は、４つの領域、つまりヘッダ１領域、ヘッダ２領域、ヘッダ３領域、及びヘッダ４領域により構成されている。ヘッダ１領域及びヘッダ３領域は４６バイトで、ヘッダ２領域及びヘッダ４領域は１８バイトで構成されている。
　【００２４】ヘッダ１領域及びヘッダ３領域は、３６バイトの同期コードＶＦＯ（ＶａｒｉａｂｌｅＦｒｅｑｕｅｎｃｙ　Ｏｓｃｉｌｌａｔｏｒ）１領域、３バイトのアドレスマークＡＭ（Ａｄｄｒｅｓｓ　Ｍａｒｋ）領域、４バイトのアドレスＰＩＤ（Ｐｈｙｓｉｃａｌ　ＩＤ）領域、２バイトの誤り検出コードＩＥＤ（ＩＤ　Ｅｒｒｏｒ　Ｄｅｔｅｃｔｉｏｎ　Ｃｏｄｅ）領域、１バイトのポストアンブルＰＡ（Ｐｏｓｔ　Ａｍｂｌｅｓ）領域により構成されている。一方、ヘッダ２領域及びヘッダ４領域は、８バイトの同期コードＶＦＯ２領域、３バイトのアドレスマークＡＭ領域、４バイトのアドレスＰＩＤ領域、２バイトの誤り検出コードＩＥＤ領域、１バイトのポストアンブルＰＡ領域により構成されている。
　【００２５】ＰＩＤ領域には、アドレス情報が記録される。具体的に述べると、１バイトから成るセクタインフォメーション（ＰＩＤナンバー含む）及び３バイトから成るセクターナンバーが記録される。
　【００２６】同期コードＶＦＯ１領域及びＶＦＯ２領域には、ＰＬＬ（Ｐｈａｓｅ　Ｌｏｃｋｅｄ　Ｌｏｏｐ）の引き込みを行うための連続的な繰返しパターン（１０００１０００１０００…）が記録される。具体的に述べると、このＶＦＯ領域に記録されるパターンは、ＰＩＤ領域に記録されたアドレス情報を再生するための周波数同期を取るためのものである。
　【００２７】ＡＭ領域にはアドレスマークが記録され、このアドレスマークが固定長ブロック符号の復調の際にブロックの境界を検出する役割を担う。具体的に述べると、このＡＭ領域に記録されるアドレスマークは、ＰＩＤ領域に記録されたアドレス情報の位置を示すものである。このＡＭ領域に記録されるアドレスマークには、他には現れない特殊なパターンが用いられる。このＡＭ領域に記録されるアドレスマークのパターンがこの発明の特徴であり、そのパターンは、例えば、図２に示すような特定パターンである（チャネルビット：０００１０００１０００００００００００００１０００１０００１０００００００００００００１０００１）。
　【００２８】アドレスマークは４８チャネルビットの長さで、シンボル０のランレングスが１３であるパターン（１０００００００００００００）により構成されている。ＲＬＬ（２、１０）符号においては、シンボル０のランレングスが１３のパターンは存在しない。つまり、アドレスマークにシンボル０のランレングスが１３であるパターンを含ませることにより、他のパターンを誤ってアドレスマークとして検出するのを防止できる。
　【００２９】また、この発明の特徴であるアドレスマークのパターンにおけるシンボル０のラン長を前から順に並ぺると、３、３、１３、３、３、１３、３となっており、「３、３、１３」というシンボル１を奇数個含むパターン（０００１０００１０００００００００００００１）が偶数回（例えば２回）繰り返されている。これにより直流成分が相殺されている。因みに、アドレスマークには、シンボル０のランレングスが１３であるパターン（１０００００００００００００）に隣接してＶＦＯ領域に記録される同期パターンを構成するパターン（１０００）が配置される。
　【００３０】誤り検出コードＩＥＤ領域には、セクタアドレス（ＩＤ番号含む）に対するエラー（誤り）検出符号が記録され、このエラー検出符号により読み込まれたＰＩＤ内のエラーの有無が検出される。
　【００３１】ポストアンブルＰＡ１領域及びＰＡ２領域には、復調に必要なステート情報が記録されており、ヘッダ領域がスペースで終了するよう極性調整の役割も持つ。
　【００３２】ミラー領域は、トラッキングエラー信号のオフセット補正、ランド／グルーブ切り替え信号のタイミング発生等に利用される。
　【００３３】レコーディング領域は、（１０＋Ｊ／１６）バイトのギャップ領域、（２０＋Ｋ）バイトのガード１領域、３５バイトのＶＦＯ３領域、３バイトのＰＳ（ｐｒｅ−ｓｙｎｃｈｒｏｎｏｕｓ　ｃｏｄｅ）領域、２４１８バイトのデータ領域、１バイトのポストアンブルＰＡ３領域、（５５−Ｋ）バイトのガード２領域、および（２５−Ｊ／１６）バイトのバッファ領域により構成されている。因みに、Ｊは０〜１５、Ｋは０〜７の整数でランダムな値をとる。
　【００３４】ギャップ領域は、何も記録されたない領域である。
　【００３５】ガード１領域は、相変化記録媒体特有の繰り返し記録時の終端劣化がＶＦＯ３領域にまで及ばないようにするために設けられた領域である。
　【００３６】ＶＦＯ３領域もＰＬＬロック用の領域ではあるが、同一パターンの中に同期コードを挿入し、バイト境界の同期をとることも目的とする領域である。
　【００３７】ＰＳ領域は、データ領域につなぐための同調用の領域である。
　【００３８】データ領域は、データＩＤ、データＩＤエラー訂正コードＩＥＤ（Ｄａｔａ　ＩＤ　Ｅｒｒｏｒ　Ｄｅｔｅｃｔｉｏｎ　Ｃｏｄｅ）、同期コード、ＥＣＣ（Ｅｒｒｏｒ　Ｃｏｌｌｅｃｔｉｏｎ　Ｃｏｄｅ）、ＥＤＣ（Ｅｒｒｏｒ　Ｄｅｔｅｃｔｉｏｎ　Ｃｏｄｅ）、ユーザデータ等から構成される領域である。データＩＤは、各セクタの４バイト（３２チャネルビット）構成のセクターＤ１〜ＩＤ１６である。データＩＤエラー訂正コードＩＥＤは、データＩＤ用の２バイト（１６ビット）構成のエラー訂正コードである。
　【００３９】ポストアンブルＰＡ３領域は、復調に必要なステート情報を含んでおり、前のデータ領域の最終バイトの終結を示す領域である。
　【００４０】ガード２領域は、相変化記録媒体特有の繰り返し記録時の終端劣化がデータ領域にまで及ばないようにするために設けられた領域である。
　【００４１】バッファ領域は、データ領域が次のヘッダ領域にかからないように、光ディスク１を回転するモータの回転変動などを吸収するために設けられた領域である。
　【００４２】続いて、図３を参照して、ＶＦＯ領域に記録されるＶＦＯパターンの誤検出の一例について説明する。ＶＦＯ領域には、チャネルビット表示で「１０００」を繰返したパターンが記録されている。このようなパターンは周期をチャネルクロック周期Ｔで表すと４Ｔとなるので４Ｔパターンなどとも呼ばれる。また、記録ピットはチャネルビットのシンボル１に対応する位置が支点あるいは終点となるように形成される。図３では、小判型の図形によりピットを表現するものとする。
　【００４３】図３（ａ）は、正常に記録されたＶＦＯパターンを正常に検出した状態を示す図である。ピット列から得られる再生信号は、中断に実線で示したような波形となる。この再生信号は点線で示した２値化レベルで２値化信号に変換される。この２値信号を２値化信号と呼ぶ。２値化レベルは、例えば２値化信号のデューティからＤＳＶ（Ｄｉｇｉｔａｌ　Ｓｕｍ　Ｖａｌｕｅ）が算出され、この算出された値を偏差としたフィードバック制御が行われ決定される。２値化信号のエッジは再生ビット列のシンボル１に対応する。
　【００４４】図３（ｂ）は、正常に記録されなかったＶＦＯパターンが検出された状態を示す図である。正常に記録されなかったＶＦＯパターンとは、例えば、凹凸が不十分なピットが含まれたＶＦＯパターンである。この凹凸が不十分なピットを図中では、斜線で陰影を施して示す。このような凹凸が不十分なピットが形成される現象は、例えば、マスタリング時に樹脂の充填不足が局所的に発生したり、何らかの原因でディスク基板上にピット単位の欠陥が存在したり、ディスク上に埃が付着していたりするなどのことが要因で起り得る。以下において、陰影を施したピットを欠陥ピットと呼ぶ。
　【００４５】欠陥ピットは、ピットの深さ（ピットを凹形状と考えた場合）が理論的に最大の反射率変化が得られるλ／４に到達しておらず、再生信号が欠陥ピット位置において充分下がらない。ここで、λはレーザ波長で例えば６５０［ｎｍ］などの値である。このような場合、欠陥ピットがピットとして認識されない。これにより、図３（ｂ）に示すような、ＲＬＬ（２、１０）符号では発生しない１２Ｔパターンが検出されてしまう。
　【００４６】ＡＭ領域に記録されるアドレスマークは、他のパターンと区別できるように、ランレングス制限符号に違反するパターン（１０００００００００００００）が用いらる。さらに詳しくいうと、ランレングス制限符号に違反するパターンでもランレングスが大きい方の違反パターン（ランレングス制限を越えるパターン）が用いられる。
　【００４７】欠陥ピットが含まれた領域を再生した場合、誤った再生信号が得られることじたいは防ぎようがない。アドレスマークＡＭ領域に記録されているアドレスマークはブロック境界を検出するという役割を担っており、このアドレスマークは復調が必要とされるデータ記録領域の先頭に配置され、かつＰＬＬの引き込み領域であるＶＦＯ領域の直後に配置される。つまり、アドレスマークの前部には必ずＶＦＯパターンが記録されており、このＶＦＯパターンにおいて欠陥ピットが発生するとある特定のランレングス制限符号に違反するパターンが発生することが多い。この点が、任意のデータ中において欠陥ピットが発生した場合と大きく異なる点である。
　【００４８】この発明では、このことを利用して、アドレスマークの誤検出を防止する。つまり、ＶＦＯ領域にピットとして認識されない欠陥ピットが含まれているとき、この欠陥ピットの影響を受けた再生パターンと異なるパターンをＡＭ領域に記録されるアドレスマークとして採用する。こうすれば、欠陥ピットの影響を受けた再生パターンが原因で、アドレスマークが誤検出されるのを防止できる。アドレスマークのパターンの一例が、図２に示す特定パターンである。
　【００４９】図２に示す特定パターンには、シンボル０のランレングスが１３であるパターン（１０００００００００００００）が含まれている。このパターンは、図３（ｂ）に示すような欠陥ピットの影響を受けた再生パターンには決して現れない。勿論、このパターンは、複数の欠陥ピットの影響を受けた再生パターンにも現れない。
　【００５０】図３（ｃ）は、正常に記録されなかったＶＦＯパターンが誤検出された状態を示す図である。正常に記録されなかったＶＦＯパターンとは、上記説明したような欠陥ピットが含まれたパターンである。また、ここで言う誤検出とは、何らかの原因によりずれた２値化レベルにより検出された状態のことである。２値化レペルは、大きな欠陥などがあるとＶＦＯ領域において再生信号の振幅中心からずれることも起こり得る。
　【００５１】図３（ｃ）では、２値化レペルが再生信号に対して低いレベル側にずれた場合を示している。この場合、欠陥ピット部分は図３（ｂ）に比べてランレングスが２ビット分大きな違反パターン（シンボル０のランレングスが１３）として検出されてしまう。この場合、この違反パターンが、図２に示す特定パターンに含まれるランレングス制限を越えるパターンと同じになってしまう。
　【００５２】しかし、図２に示す特定パターンには、ランレングス制限を越えるパターンに隣接してＶＦＯ領域に記録されるＶＦＯパターンを構成するパターン（１０００）が配置されているため、図３（ｃ）に示すようなずれた２値化レベルにより再生された再生パターンとは必ず異なるパターンとなる。これにより、図２に示すコードパターンをアドレスマークとして採用することにより、図３（Ｃ）に示すようなパターンが再生されたとしても、アドレスマークの誤検出を防止することができる。
　【００５３】続いて、図４を参照して、図２に示す特定パターンのＤＳＶについて説明する。図４は、奇数パターンを２回繰り返したパターンのＤＳＶの変化を示したものである。奇数パターンはパターン内にシンボル１を奇数個含むパターンのことで、ＮＲＺＩ変換した際に始点と終点の極性が逆転する。図４において奇数パターンと呼んでいるのは、４Ｔ−１４Ｔ−４Ｔというパターンで、シンボル１を３個含む奇数パターン（図２に示すパターン）である。
　【００５４】図４の上部には全体で４８チャネルビットの長さをもつ、アドレスマークの特定パターンの一例を示した。２値波形のハイレベルがスペース、ローレベルがピットに対応する。２値波形の上部には各々のピットあるいはスペースの長さをチャネルビット周期丁を用いて表している。図４に示したアドレスマークのチャネルビット表現は０００１０００１０００００００００００００１０００１０００１０００００００００００００１０００１である。図４の下部には上記パターンにおけるビット毎のＤＳＶ値の変化を示した。奇数パターンを２回繰り返しているので変化の形が左右対称となっており最終的には零に近い値で終わっている。奇数パターンを偶数回繰り返すとお互いのＤＳＶを相殺するのでこのような結果となる。ランレングス制限符号において誤検出を防ぐためアドレスマークにランレングスが大きい違反マークを用いる場合において、直流成分を抑制するために奇数パターンを偶数回繰り返すパターンをアドレスマークとして採用することは２値化回路を簡単な構成にできるという面から非常に有効な手段となる。
　【００５５】ここで、この発明のアドレスマークのパターンを厳密に記載する。図２に示したパターンは、この発明の特定パターンの一例にすぎない。この発明の特定パターンは、次のように表現することができる。
　【００５６】ＶＦＯ領域のＶＦＯパターンのシンボル０のランレングスの上限値をｍとすると、この発明の特定パターンは、シンボル０のランレングスｎ（ｎ＞ｍ、ｎ≠ｒｍ＋（ｒ−１）、ｒ：自然数）を満たすパターンを含むものである。さらに、このシンボル０のランレングスｎを満たすパターンに隣接してシンボル０のランレングスｍのパターンが配置される。さらに、このパターンが、シンボル１を奇数個含むパターンを偶数回繰返したパターンである。
　【００５７】なお、ｍ＝３、ｎ＝１３、ｒ＝３を満たす場合が、図２に示す特定パターンである。
　【００５８】続いて、図５を参照して、上記説明したこの発明のアドレスマークの特定パターンを原盤上に記録する原盤記録装置の概略について説明する。
　【００５９】図５に示す原盤記録装置において、レーザ光源４１から出射されたレーザ光（例えばＡｒレーザもしくはＫｒレーザ）は、光軸を調整するレーザ光軸制御系４２に入射し、レーザ光の温度変化等による光軸変動に対処してある。レーザ光は、ミラー４３で反射され、フォーマット手段としてのフォーマット回路４９に制御されたＥ・Ｏ変調器４４ａ、４４ｂから成るビーム変調系４４によって任意の信号（この発明のアドレスマーク）を有するレーザ光に変調される。ここでレーザ光を所定のフォーマット信号（この発明のアドレスマークの特定パターン）に変調することができる。なお、フォーマット回路４９は、後述するカッティング動作に従ってレーザ光の変調を行うようにビーム変調系４４の制御を行う。レーザ光は、ピンホールやスリットから成るビーム整形系４５を通過して
ビーム径や形状を調整される。ここまででレーザ光の調整が終わり、ビームモニタ系４６でビーム形状の確認ができる。
　【００６０】レーザ光は、さらにミラー４７に案内されて対物レンズ４８により光記録原盤４０に集束、照射される。この光記録原盤４０としては、例えばガラス円盤が用いられる。このガラス円盤上には感光塗料（フォトレジスト）を塗布し、この感光塗料の表面にレーザ光を照射する。レーザ光により感光された部分はエッチングを行うと凹型の形状となる。このレーザ光の照射によって形成される表面形状を所望の凹凸形状と為し、グルーブ及びフォーマットパターンを記録する。このように処理されたガラス円盤をもとにして、スタンパが作製される。
　【００６１】カッティング時にはモータ等の回転手段３９により、ガラス円盤４０を例えば一定回転させる。また、対物レンズ４８を有し、ガラス円盤４０上の所定位置にレーザ光を照射するための光ピックアップが、カラス円盤４０の内周側から外周側へ一定の速度で移動する。カッティングの際、光ピックアップは円盤１回転につきトラックピッチ分だけの割台で内周側から外周方向へ等速移動を行い、この移動に伴ってレーザ光の照射位置を移動させる。このように移動する光ピックアップによって、レーザ光を照射した部分がグループ、照射しない部分がランドになる。ヘッダ領域においては、レーザ光を点滅させることによって凹凸状のピットを形成する。
　【００６２】続いて、図６を参照して、上記説明したこの発明のアドレスマークＡＭのコードパターンが記録された光ディスクに対するデータの記録及び再生を行う情報記録再生装置としての光ディスク装置の概略について説明する。
　【００６３】図６に示す光ディスク装置は、光ディスク１に対し集束光を用いてデータの記録、あるいは記録されているデータの再生を行うものである。光ディスク１はモータ３によって例えば、ゾーンごとに異なった回転数で回転される。このモータ３は、モータ制御回路４により制御される。光ディスク１に対するデータの記録、再生は、情報記録再生手段としての光学ヘッド５によって行われる。光学ヘッド５は、リニアモータ６の可動部を構成する駆動コイル７に固定されており、その駆動コイル７はリニアモータ制御回路８に接続される。
　【００６４】リニアモータ制御回路８に速度検出器９が接続され、その速度検出器９で検出される光学ヘッド５の速度信号がリニアモータ制御回路８に送られる。リニアモータ６の固定部に、図示しない永久磁石が設けられており、上記駆動コイル７がリニアモータ制御回路８によって励磁されることにより、光学ヘッド５が光ディスク１の半径方向に移動される。
　【００６５】光学ヘッド５には、図示しないワイヤあるいは板ばねによって支持された対物レンズ１０が設けられる。この対物レンズ１０は、駆動コイル１１の駆動によりフォーカシング方向（レンズの光軸方向）への移動が可能で、また駆動コイル１２の駆動によりトラッキング方向（レンズの光軸と直交する方向）への移動が可能である。
　【００６６】レーザ制御回路１３の駆動制御により、半導体レーザ発振器９からレーザ光ビームが発せられる。レーザ制御回路１３は、変調回路１４とレーザ駆動回路１５からなり、ＰＬＬ回路１６から供給される記録用クロック信号に同期して動作する。変調回路１４は、エラー訂正回路３２から供給される記録データを記録に適した信号つまり８−１６変調データに変調する。レーザ駆動回路１５は、変調回路１４からの８−１６変調データに応じて、半導体レーザ発振器（あるいはアルゴンネオンレーザ発振器）１９を駆動する。
　【００６７】ＰＬＬ回路１６は、記録時、水晶発振器１７から発せられる基本クロック信号をＣＰＵ３０により設定される分周値で分周あるいは光ディスク１上のヘッダ領域が再生される時間間隔（ヘッダ間隔）に対応した周波数に分周し、これにより記録用のクロック信号を発生すると共に、再生時は、再生した同期コードに対応の再生用クロック信号を発生するものである。また、ＰＬＬ回路１６は、ＣＰＵ３０からの制御信号と情報記録再生手段としてのデータ再生回路１８の２値化回路４１からの信号に応じて、記録用あるいは再生用のクロック信号を選択的に出力する。
　【００６８】半導体レーザ発振器１９から発せられるレーザ光ビームは、コリメータレンズ２０、ハーフプリズム２１、対物レンズ１０を介して光ディスク１上に照射される。光ディスク１からの反射光は、対物レンズ１０、ハーフプリズム２１、集光レンズ２２、およびシリンドリカルレンズ２３を介して、光検出器２４に導かれる。
　【００６９】光検出器２４は、４分割の光検出セル２４ａ、２４ｂ、２４ｃ、２４ｄにからなる。このうち、光検出セル２４ａの出力信号は、増幅器２５ａを介して加算器２６ａの一端に供給される。光検出セル２４ｂの出力信号は、増幅器２５ｂを介して加算器２６ｂの一端に供給される。光検出セル２４ｃの出力信号は、増幅器２５ｃを介して加算器２６ａの他端に供給される。光検出セル２４ｄの出力信号は、増幅器２５ｄを介して加算器２６ｂの他端に供給される。
　【００７０】さらに、光検出セル２４ａの出力信号は、増幅器２５ａを介して加算器２６ｃの一端に供給される。光検出セル２４ｂの出力信号は、増幅器２５ｂを介して加算器２６ｄの一端に供給される。光検出セル２４ｃの出力信号は、増幅器２５ｃを介して加算器２６ｄの他端に供給される。光検出セル２４ｄの出力信号は、増幅器２５ｄを介して加算器２６ｃの他端に供給される。
　【００７１】加算器２６ａの出力信号は差動増幅器ＯＰ２の反転入力端に供給され、その差動増幅器ＯＰの非反転入力端に加算器２６ｂの出力信号が供給される。差動増幅器ＯＰ２は、加算器２６ａ、２６ｂの両出力信号の差に応じた、フォーカス点に関する信号を出力する。この出力はフォーカシング制御回路２７に供給される。フォーカシング制御回路２７の出力信号は、フォーカシング駆動コイル１２に供給される。これにより、レーザ光ビームが、光ディスク１上で常時ジャストフォーカスとなる制御される。
　【００７２】加算器２６ｃの出力信号は差動増幅器ＯＰ１の反転入力端に供給され、その差動増幅器ＯＰ１の非反転入力端に加算器２６ｄの出力信号が供給される。差動増幅器ＯＰ１は、加算器２６ｃ、２６ｄの両出力信号の差に応じたトラック差信号を出力する。この出力はトラッキング制御回路２８に供給される。トラッキング制御回路２８は、差動増幅器ＯＰ１からのトラック差信号に応じてトラック駆動信号を作成する。
　【００７３】トラッキング制御回路２８から出力されるトラック駆動信号は、トラッキング方向の駆動コイル１１に供給される。また、トラッキング制御回路２８で用いられるトラック差信号が、リニアモータ制御回路８に供給される。
　【００７４】上記フォーカシングおよびトラッキングがなされることで、光検出器２４の各光検出セル２４ａ，…２４ｄの出力信号の和信号には、つまり加算器２６ｃ、２６ｄの両出力信号の加算である加算器２６ｅの出力信号には、トラック上に形成されたピット（記録データ）からの反射率の変化が反映される。この信号は、データ再生回路１８に供給される。データ再生回路１８は、ＰＬＬ回路１６からの再生用クロック信号に基づき、記録データを再生する。
　【００７５】また、データ再生回路１８は、加算器２６ｅの出力信号とＰＬＬ回路１６からの再生用クロック信号とに基づいてプリフォーマットデータ内のセクタマークＳＭを検出すると共に、ＰＬＬ回路１６から供給される２値化信号および再生用クロック信号に基づき、その２値化信号からアドレス情報としてのＰＩＤ領域（トラック番号とセクタ番号）を再生する。
　【００７６】データ再生回路１８の再生データはバス２９を介してエラー訂正回路３２に供給される。エラー訂正回路３２は、再生データ内のエラー訂正コード（ＥＣＣ）によりエラーを訂正したり、あるいはインターフェース回路３５から供給される記録データにエラー訂正コード（ＥＣＣ）を付与してメモリ２に出力する。
　【００７７】このエラー訂正回路３２でエラー訂正される再生データはバス２９およびインターフェース回路３５を介して外部装置としての光ディスク制御装置３６に供給される。光ディスク制御装置３６から発せられる記録データは、インターフェース回路３５およびバス２９を介してエラー訂正回路３２に供給される。
　【００７８】上記トラッキング制御回路２８によって対物レンズ１０が移動されているとき、リニアモータ制御回路８により、対物レンズ１０が光学ヘッド５内の中心位置近傍に位置するようリニアモータ６つまり光学ヘッド５が移動される。
　【００７９】Ｄ／Ａ変換器３１は、フオーカシング制御回路２７、トラッキング制御回路２８、リニアモータ制御回路８と光ディスク装置の全体を制御するＣＰＵ３０との間でのデータの授受に用いられる。
　【００８０】モータ制御回路４、リニアモータ制御回路８、レーザ制御回路１５、ＰＬＬ回路１６、データ再生回路１８、フォーカシング制御回路２７、トラッキング制御回路２８、エラー訂正回路３２等は、バス２９を介してＣＰＵ３０によって制御される。ＣＰＵ３０は、メモリ２に記録されたプログラムによって所定の動作を行う。
　【００８１】ここで、図７を参照して、データ再生回路の詳細について説明する。
　【００８２】データ再生回路１８は、図７に示すように、２値化回路６１、シフトレジスタ６２、復調回路６３、アドレスマーク検知手段としてのアドレスマーク検知回路６４、語境界カウンタ６５、ＩＥＤチェック回路６６、アドレス比較回路６７、およびヘッダ検知信号発生回路６８によって構成されている。
　【００８３】２値化回路６１は、上記加算器２６ｅからの加算信号を２値化するものである。この２値化回路６１からの２値化信号は上記ＰＬＬ回路１６に供給され、再生用クロック信号（チャネルクロック）に同期したデータ系列（チャネルデータ）に変換される。
　【００８４】ＰＬＬ回路１６の出力信号としてのチャネルクロックとチャネルデータは１６ビット構成のシフトレジスタ６２に供給される。このチャネルクロックは、復調回路６３、アドレスマーク検知回路６４、語境界カウンタ６５にも供給される。
　【００８５】シフトレジスタ６２は、供給されるチャネルデータを１６ビットのパラレルデータに変換して出力する。このシフトレジスタ６２からの１６ビットのチャネルデータは、復調回路６３、およびアドレスマーク検知回路６４に供給される。
　【００８６】復調回路６３は、語境界カウンタ６５からの語境界信号が供給された際のシフトレジスタ６２からの１６ビットのアドレスデータに対応したアドレスに記憶されているデータをＲＯＭ出力データとして出力する復調ＲＯＭ（図示しない）と、この復調ＲＯＭからのＲＯＭ出力データとしての復調データをＰＬＬ回路１６からのチャネルクロックを分周して作成したデータクロックに応じて、シリアルに変換して出力するパラレル−シリアル変換部（図示しない）などから構成されている。
　【００８７】このＲＯＭ出力データは、アドレスデータに対応したあらかじめ定められているたとえば８−１６符号変調規則に基づいて、つまり１６ビットのチャネルビットを８ビットのデータに復調されるデータである。
　【００８８】復調回路６３からの復調データ信号は、ＩＥＤチェック回路６６、およびアドレス比較回路６７へ出力される。また、復調回路６３で作成されたデータクロックは、ＩＥＤチェック回路６６、アドレス比較回路６７、およびヘッダ検知信号発生回路６８へ出力される。
　【００８９】アドレスマーク検知回路６４は、比較器により構成され、ＰＬＬ回路１６からのチャネルクロックが供給されるごとに、シフトレジスタ６２からの１６ビットのチャネルデータと１６ビットのアドレスマークとが一致するか否かを比較し、一致した際に、アドレスマーク検知信号を出力するものである。アドレスマーク検知回路６４からのアドレスマーク検知信号は語境界カウンタ６５、ＩＥＤチェック回路６６、アドレス比較回路６７、およびヘッダ検知信号発生回路６８に出力される。
　【００９０】語境界カウンタ６５は、アドレスマーク検知回路６４からのアドレスマーク検知信号をトリガとしてカウントを行い、固定長ブロック符号（１６チャネルビット）ごとに語境界信号を出力するものである。語境界カウンタ６５からの語境界信号は復調回路６３に出力される。
　【００９１】ＩＥＤチェック回路６６は、アドレスマーク検知回路６４からのアドレスマーク検知信号が供給された後、復調回路６３から供給される６バイト分のアドレス部ＰＩＤのセクタアドレスと誤り検出コードＩＥＤとをデータクロックに基づいて受入れ、この受入れたセクタアドレスの誤り検出コードＩＥＤとの演算結果が「０」か否かで、セクタアドレスが正しいか否かを判定するものである。
　【００９２】このＩＥＤチェック回路６６のチェック結果は、ヘッダ検知信号発生回路６８に出力される。
　【００９３】アドレス比較回路６７は、アドレスマーク検知回路６４からのアドレスマーク検知信号が供給された後、復調回路６３から供給される４バイト分のアドレス部ＰＩＤのセクタアドレスをデータクロックに基づいて受入れ、この受入れたセクタアドレス内のＩＤ番号が「１」〜「４」のいずれに対応しているかを比較し、一致するＩＤ番号に対応する信号を出力するものである。アドレス比較回路６７からのＩＤ番号に対応する信号はヘッダ検知信号発生回路６８に出力される。たとえば、ＩＤ番号が「１」の場合「００」が出力され、ＩＤ番号が「２」の場合「０１」が出力され、ＩＤ番号が「３」の場合「１０」が出力され、ＩＤ番号が「４」の場合「１１」が出力される。
　【００９４】また、アドレス比較回路６７は、受入れたセクタアドレスをアドレスデータとしてＣＰＵ３０へ出力するようになっている。
　【００９５】ヘッダ検知信号発生回路６８は、ＩＥＤチェック回路６６からのチェック結果が正しいものである場合にアドレス比較回路６７から供給されるＩＤ番号に対応する信号と、アドレスマーク検知回路６４からのアドレスマーク検知信号と復調回路からのデータクロックとにより計数されるバイト数とに応じて、ミラーマーク領域の終了時に対応してヘッダ検知信号を発生するものであり、たとえばアドレスマーク検知信号が供給されてからのバイト数を復調回路からのデータクロックにより計数するバイナリカウンタである。このヘッダ検知信号発生回路６８からのヘッダ検知信号は、ＰＬＬ回路１６およびＣＰＵ３０へ出力される。たとえば、チェック結果が正しくＩＤ番号として「１」を示す信号が供給された場合、アドレスマーク検知回路６４からのアドレスマーク検知信号が供給されてから９４バイト後にヘッダ検知信号を発生し、チェック結果が正しくＩＤ番号として「２」を示す信号が供給された場合、アドレスマーク検知回路６４からのアドレスマーク検知信号が供給されてから７６バイト後にヘッダ検知信号を発生し、チェック結果が正しくＩＤ番号として「３」を示す信号が供給された場合、アドレスマーク検知回路６４からのアドレスマーク検知信号が供給されてから３０バイト後にヘッダ検知信号を発生し、チェック結果が正しくＩＤ番号として「４」を示す信号が供給された場合、アドレスマーク検知回路６４からのアドレスマーク検知信号が供給されてから１２バイト後にヘッダ検知信号を発生するようになっている。
　【００９６】以上説明したデータ再生回路１８のアドレスマーク検出回路６４において、図２に示すパターンが検出されたとき、このパターンをアドレスマークとして認識する。既に説明したように、図２に示すアドレスマークの特定パターンは、ＶＦＯ領域における欠陥ピットの影響を受けた再生パターン、及びずれた２値化レベルにより再生された再生パターンにも現れることのないパターンである。従って、図２に示すような特定パターンをアドレスマークとして採用することにより、アドレスマークの誤検出を防止することができる。
　【００９７】
　【発明の効果】この発明によれば下記の情報記録再生用媒体、情報記録再生用媒体フォーマット装置、及び情報記録再生装置を提供できる。
　【００９８】（１）ＶＦＯ領域に欠陥ピットが含まれているとき、この欠陥ピットが含まれたＶＦＯ領域を再生して得られる欠陥ピットの影響を受けた再生パターンによるアドレスマークの誤検出防止に貢献できる情報記録再生用媒体。
　【００９９】（２）この発明の第２の目的は、ＶＦＯ領域に欠陥ピットが含まれているとき、この欠陥ピットが含まれたＶＦＯ領域を再生して得られる欠陥ピットの影響を受けた再生パターンによるアドレスマークの誤検出防止に貢献できる情報記録再生用媒体をフォーマットする情報記録再生用媒体フォーマット装置。
　【０１００】（３）この発明の第３の目的は、ＶＦＯ領域に欠陥ピットが含まれているとき、この欠陥ピットが含まれたＶＦＯ領域を再生して得られる欠陥ピットの影響を受けた再生パターンによるアドレスマークの誤検出を防止できる情報記録再生装置。
【図面の簡単な説明】
　【図１】この発明の実施の一形態に係る情報記録再生用媒体としての光ディスクに設けられたセクタ領域の概略を示す図である。
　【図２】この発明のアドレスマークの一例を示す図である。
　【図３】正常に記録されたＶＦＯ領域を正規の２値化レベルにより再生した様子、欠陥ピットが含まれたＶＦＯ領域を正規の２値化レベルにより再生した様子、及び欠陥ピットが含まれたＶＦＯ領域をずれた２値化レベルで再生したときの様子を示す図である。
　【図４】この発明のアドレスマークのＤＳＶ値を示した概念図である。
　【図５】この発明の実施の一形態に係るフォーマット装置の概略を示す図である
　【図６】この発明の実施の一形態に係る情報記録再生装置の概略を示す図である。
　【図７】情報記録再生装置におけるデータ再生回路の概略を示す図である。
　【符号の説明】
１…光ディスク
５…光学ヘッド
１５…レーザ駆動回路
１６…ＰＬＬ回路
１８…データ再生回路
６４…アドレスマーク検知回路